(57)【要約】【課題】  撮影する被写体や天候などの撮影環境やユーザの好みに応じて、簡単な操作で所望のパラメータの設定ができるようにする。【解決手段】  撮影の条件やその他の条件を設定するためのパラメータが条件の種類に応じて複数の項目に分類されたパラメータ情報において、カーソルキー１３の左右キーに対して複数の項目のパラメータの設定を、その左右キーの操作に応じて割り当て、設定する条件に対応するパラメータを選択する際に、そのパラメータが割り当てた項目に属する場合には、左右キーの操作に応じて項目の指定を要することなくそのパラメータの選択を行う。【選択図】      図１
2011217410.tif 000002
【特許請求の範囲】
【請求項１】
撮影の条件やその他の条件を設定するためのパラメータが条件の種類に応じて複数の項目に分類され、各項目に少なくとも１つのパラメータが属する構成のパラメータ情報において、操作手段における特定のスイッチに対して複数の項目のパラメータの設定を当該特定のスイッチの操作に応じて割り当てるパラメータ割当手段と、
前記操作手段によって設定する条件に対応するパラメータを選択する際に、当該パラメータが前記パラメータ割当手段によって割り当てられた項目に属する場合には、前記特定のスイッチの操作に応じて項目の指定を要することなく当該パラメータの選択を行い、当該パラメータが前記パラメータ割当手段によって割り当てられていない項目に属する場合には、前記特定のスイッチおよび又は他のスイッチの操作に応じて当該パラメータが属する項目の指定および当該パラメータの選択を行うパラメータ選択手段と、
を備えた撮像装置。
【請求項２】
前記パラメータ選択手段は、前記特定のスイッチの操作ごとに各項目のパラメータの配列に従って１つのパラメータを順に選択し、配列の最後のパラメータが選択されている状態で、さらに前記特定のスイッチが操作されたときは、他の項目に移行してパラメータを選択することを特徴とする請求項１に記載の撮像装置。
【請求項３】
前記特定のスイッチは、パラメータの配列の選択方向を順方向および逆方向に指定して１つのパラメータを順に選択する第１の選択スイッチおよび第２の選択スイッチを有し、前記パラメータ設定手段は、配列の順方向又は逆方向における最後のパラメータが選択されている状態で、さらに前記第１の選択スイッチ又は前記第２の選択スイッチが操作されたときは、他の項目に移行してパラメータを選択することを特徴とする請求項２に記載の撮像装置。
【請求項４】
前記特定のスイッチの操作に応じて、項目を指定することなく当該項目に属するパラメータを選択する前記パラメータ設定手段の機能は、前記特定のスイッチ又は他のスイッチの操作によって一時的に割り当てられた項目に対して有効となることを特徴とする請求項１に記載の撮像装置。
【請求項５】
撮影の条件やその他の条件を設定するためのパラメータが条件の種類に応じて複数の項目に分類され、各項目に少なくとも１つのパラメータが属する構成のパラメータ情報において、操作手段における特定のスイッチに対して複数の項目のパラメータの設定を当該特定のスイッチの操作に応じて割り当てるステップＡと、
前記操作手段によって設定する条件に対応するパラメータを選択する際に、当該パラメータが前記ステップＡによって割り当てられた項目に属する場合には、前記特定のスイッチの操作に応じて項目の指定を要することなく当該パラメータの選択を行い、当該パラメータが前記ステップＡによって割り当てられていない項目に属する場合には、前記特定のスイッチおよび又は他のスイッチの操作に応じて当該パラメータが属する項目の指定および当該パラメータの選択を行うステップＢと、
をコンピュータに実行させる制御プログラム。
【請求項６】
前記ステップＡは、前記特定のスイッチの操作ごとに各項目のパラメータの配列に従って１つのパラメータを順に選択し、配列の最後のパラメータが選択されている状態で、さらに前記特定のスイッチが操作されたときは、他の項目に移行してパラメータを選択することを特徴とする請求項５に記載の制御プログラム。
【請求項７】
前記特定のスイッチは、パラメータの配列の選択方向を順方向および逆方向に指定して１つのパラメータを順に選択する第１の選択スイッチおよび第２の選択スイッチを有し、前記ステップＡは、配列の順方向又は逆方向における最後のパラメータが選択されている状態で、さらに前記第１の選択スイッチ又は前記第２の選択スイッチが操作されたときは、他の項目に移行してパラメータを選択することを特徴とする請求項６に記載の制御プログラム。
【請求項８】
前記特定のスイッチの操作に応じて、項目を指定することなく当該項目に属するパラメータを選択する前記ステップＡの機能は、前記特定のスイッチ又は他のスイッチの操作によって一時的に割り当てられた項目に対して有効となることを特徴とする請求項５に記載の制御プログラム。
【発明の詳細な説明】
【技術分野】
【０００１】
本発明は、撮像装置および撮像装置における制御プログラムに関し、特に、画像の撮影の条件や画像の再生の条件およびその他の条件を設定するためのパラメータを設定する撮像装置および撮像装置における制御プログラムに関するものである。
【背景技術】
【０００２】
デジタルカメラ、ビデオカメラ、カメラ付き携帯電話装置などの可搬型の撮像装置においては、画像の撮影の条件、画像の記録の条件、画像の再生の条件、およびその他の条件を設定するためのパラメータが用意されている。一方、このような可搬型の撮像装置においては、下記の特許文献１および特許文献２の先行技術に見られるように、スイッチの数を極力少なくすることにより、製品の小型化およびコストダウンを図るための開発努力が行われてきた。その結果、例えば、撮影の条件を設定するためのパラメータを、ＩＳＯ感度のメニュー項目、セルフタイマのメニュー項目、ホワイトバランスのメニュー項目、測光方式のメニュー項目など、条件の種類に応じて複数のメニュー項目に分類し、各メニュー項目に複数のパラメータが属するようなツリー構造のパラメータ情報としている。そして、スイッチ操作によって、あるパラメータの条件を設定する際には、まず、そのパラメータが属する項目を指定し、指定した項目の中から目的のパラメータを選択することによって、パラメータの総数を選択するためのスイッチ数を相対的に削減できるようになっている。
【０００３】
特許文献１および特許文献２においては、それぞれの図１に示されているように、電源キー、シャッタキー、モードスイッチのほかに、パラメータを設定するためのメニューキー、十字キー（カーソルキー）、およびセットキーだけでキー入力部が構成されている。メニューキーは、各種メニュー項目等を選択させる際に操作する。十字キーは、上下左右各方向へのカーソル移動用のキーが一体に形成されたものであり、表示部に表示されているメニュー項目等を移動させる際に操作する。セットキーは、十字キーの中心位置に配置され、その時点で選択されているメニュー項目内容（パラメータ）等を設定するために操作する。
例えば、撮影モードにおいて、メニューキーによってメインメニュー画面が表示された場合に、十字キーの左右キーによって撮影設定の項目が指定され、さらに十字キーの上下キーによってセルフタイマの項目が指定されたときは、セルフタイマのパラメータを示す「１０秒」、「５秒」、「２秒」、「切」のメニューが表示される。そして、十字キーの上下キーによってユーザが所望するセルフタイマのパラメータが設定される。
【先行技術文献】
【特許文献】
【０００４】
【特許文献１】特開２００４−３５７１１９号公報
【特許文献２】特開２００５−３９７７７号公報
【発明の概要】
【発明が解決しようとする課題】
【０００５】
上記特許文献１および特許文献２を含め、従来の撮像装置においては、例えば、十字キーの操作によってセルフタイマのパラメータが設定された後に、ＩＳＯ感度のパラメータを設定する場合には、メインメニュー画面に戻した後に、十字キーの左右キーによって画質設定のメニュー画面を表示させ、十字キーの上下キーによってＩＳＯ感度を選択し、「オート」、「ＩＳＯ５０」、「ＩＳＯ１００」、「ＩＳＯ２００」からなるＩＳＯ感度のメニュー画面が表示された後に、さらに十字キーの上下キーによって所望のパラメータを設定する必要がある。しかしながら、撮影の際に所望のパラメータを設定するために、煩雑な操作をすることはユーザに負担を強いるとともに、シャッタチャンスを逃してしまうおそれが十分にある。
本発明は、このような従来の課題を解決するためのものであり、画像の撮影の条件や画像の再生の条件およびその他の条件を設定するためのパラメータが条件の種類に応じて複数の項目に分類され、各項目に複数のパラメータが属する構成のパラメータ情報において、撮影する被写体や天候などの撮影環境やユーザの好みに応じて、簡単な操作で所望のパラメータの設定ができるようにすることを目的とする。
【課題を解決するための手段】
【０００６】
請求項１に記載の撮像装置は、撮影の条件やその他の条件を設定するためのパラメータが条件の種類に応じて複数の項目に分類され、各項目に少なくとも１つのパラメータが属する構成のパラメータ情報において、操作手段における特定のスイッチ（実施形態においては、図１のカーソルキー１３の左右キーに相当する）に対して複数の項目のパラメータの設定を当該特定のスイッチの操作に応じて割り当てるパラメータ割当手段（実施形態においては、図２の制御部３２に相当する）と、操作手段によって設定する条件に対応するパラメータを選択する際に、当該パラメータがパラメータ割当手段によって割り当てられた項目に属する場合には、特定のスイッチの操作に応じて項目の指定を要することなく当該パラメータの選択を行い、当該パラメータがパラメータ割当手段によって割り当てられていない項目に属する場合には、特定のスイッチおよび又は他のスイッチの操作に応じて当該パラメータが属する項目の指定および当該パラメータの選択を行うパラメータ選択手段（実施形態においては、図２の制御部３２に相当する）と、を備えた構成になっている。
【０００７】
請求項１の撮像装置において、請求項２に記載したように、パラメータ選択手段は、特定のスイッチの操作ごとに各項目のパラメータの配列に従って１つのパラメータを順に選択し、配列の最後のパラメータが選択されている状態で、さらに特定のスイッチが操作されたときは、他の項目に移行してパラメータを選択するような構成にしてもよい。
請求項２の撮像装置において、請求項３に記載したように、特定のスイッチは、パラメータの配列の選択方向を順方向および逆方向に指定して１つのパラメータを順に選択する第１の選択スイッチ（実施形態においては、図１のカーソルキー１３の右キーに相当する）および第２の選択スイッチ（実施形態においては、図１のカーソルキー１３の左キーに相当する）を有し、パラメータ設定手段は、配列の順方向又は逆方向における最後のパラメータが選択されている状態で、さらに第１の選択スイッチ又は第２の選択スイッチが操作されたときは、他の項目に移行してパラメータを選択するような構成にしてもよい。
【０００８】
請求項１の撮像装置において、請求項４に記載したように、特定のスイッチの操作に応じて、項目を指定することなく当該項目に属するパラメータを選択するパラメータ設定手段の機能は、特定のスイッチ又は他のスイッチの操作によって一時的に割り当てられた項目に対して有効となるような構成にしてもよい。
【０００９】
請求項５に記載の制御プログラムは、撮影の条件やその他の条件を設定するためのパラメータが条件の種類に応じて複数の項目に分類され、各項目に少なくとも１つのパラメータが属する構成のパラメータ情報において、操作手段における特定のスイッチ（実施形態においては、図１のカーソルキー１３の左右キーに相当する）に対して複数の項目のパラメータの設定を当該特定のスイッチの操作に応じて割り当てるステップＡと、操作手段によって設定する条件に対応するパラメータを選択する際に、当該パラメータがステップＡによって割り当てられた項目に属する場合には、特定のスイッチの操作に応じて項目の指定を要することなく当該パラメータの選択を行い、当該パラメータがステップＡによって割り当てられていない項目に属する場合には、特定のスイッチおよび又は他のスイッチの操作に応じて当該パラメータが属する項目の指定および当該パラメータの選択を行うステップＢと、をコンピュータに実行させる構成になっている。
ステップＡおよびステップＢは、実施形態においては、図２の制御部３２によって実行される処理に相当する。
【００１０】
請求項５の制御プログラムにおいて、請求項６に記載したように、ステップＡは、特定のスイッチの操作ごとに各項目のパラメータの配列に従って１つのパラメータを順に選択し、配列の最後のパラメータが選択されている状態で、さらに特定のスイッチが操作されたときは、他の項目に移行してパラメータを選択するような構成にしてもよい。
請求項６の制御プログラムにおいて、請求項７に記載したように、特定のスイッチは、パラメータの配列の選択方向を順方向および逆方向に指定して１つのパラメータを順に選択する第１の選択スイッチ（実施形態においては、図１のカーソルキー１３の右キーに相当する）および第２の選択スイッチ（実施形態においては、図１のカーソルキー１３の左キーに相当する）を有し、ステップＡは、配列の順方向又は逆方向における最後のパラメータが選択されている状態で、さらに第１の選択スイッチ又は第２の選択スイッチが操作されたときは、他の項目に移行してパラメータを選択するような構成にしてもよい。
【００１１】
請求項５の制御プログラムにおいて、請求項８に記載したように、特定のスイッチの操作に応じて、項目を指定することなく当該項目に属するパラメータを選択するステップＡの機能は、特定のスイッチ又は他のスイッチの操作によって一時的に割り当てられた項目に対して有効となるような構成にしてもよい。
【発明の効果】
【００１２】
本発明によれば、画像の撮影の条件や画像の再生の条件およびその他の条件を設定するためのパラメータが条件の種類に応じて複数の項目に分類され、各項目に複数のパラメータが属する構成のパラメータ情報において、撮影する被写体や天候などの撮影環境やユーザの好みに応じて、簡単な操作で所望のパラメータの設定ができるという効果が得られる。
【図面の簡単な説明】
【００１３】
【図１】本発明の実施形態におけるデジタルカメラの外観図。
【図２】図１のデジタルカメラのシステム構成を示すブロック図。
【図３】図２の制御部によって実行される制御プログラムのフローチャート。
【図４】図３に続く制御プログラムのフローチャート。
【図５】図４に続く制御プログラムのフローチャート。
【図６】図２におけるスルー画面表示処理のフローチャート。
【図７】図６に続くスルー画面表示処理のフローチャート。
【図８】（Ａ）はメニュー画面の図、（Ｂ）はウインドウ表示された機能設定画面を示す図。
【図９】左右キー設定にＩＳＯ感度のパラメータ設定を割り当てる場合の画面を示す図。
【図１０】左右キー設定にセルフタイマのパラメータ設定を割り当てる場合の画面を示す図。
【図１１】左右カーソルキーに対してＩＳＯ感度およびセルフタイマが割り当てられた場合の左右カーソルキーがオンされたときの状態遷移を表す図。
【発明を実施するための形態】
【００１４】
以下、本発明による撮像装置の実施形態について、デジタルカメラを例に採って、図１ないし図１１を参照して説明する。
図１は、実施形態におけるデジタルカメラの外観図である。図１（Ａ）において、略矩形で薄型状のデジタルカメラ１の本体の前面には、撮影レンズ２、セルフタイマランプ３、光学ファインダ窓４、マイクロホン５、ストロボ発光部６、およびラバーグリップ７が設けられている。このラバーグリップ７は、ユーザが撮影時にこのデジタルカメラ１の右側面を右手で持った場合に、中指、薬指、および小指が確実に本体を把持できるように設けられた弾性部材からなる帯状突起である。デジタルカメラ１の本体の上面には、電源スイッチ８およびシャッタスイッチ９が設けられている。
【００１５】
図１（Ｂ）において、デジタルカメラ１の本体の背面には、モードスイッチ１０、スピーカ１１、メニュースイッチ１２、カーソルキー１３およびセットキー１４からなる複合スイッチ、光学ファインダ１５、ストロボチャージランプ１６、および表示部１７が設けられている。モードスイッチ１０は、スライドスイッチで構成され、左右にスライドすることによって記録モード（Ｒ）と再生モード（Ｐ）とを切り替える。記録モードにおいては、さらに、スルー画面モードおよび画像保存モードがある。メニュースイッチ１２は、撮影の条件や画像の再生の条件およびその他の条件を設定するためのパラメータを設定する際に、表示部１７にメニュー画面を表示させる。カーソルキー１３は、画面の選択アイコンの位置を上下左右の各方向に移動するために操作される。セットキー１４は、カーソルキー１３の中心位置に設けられているが、カーソルキー１３とは独立した可動機構であり、選択されているメニュー項目を決定するために操作される。表示部１７は、カラー液晶パネルで構成され、上記したように、パラメータの設定時にはメニュー画面を表示し、記録モード時には電子ファインダとしてスルー画像を表示し、再生モード時には選択された画像を表示する。
【００１６】
図２は、図１のデジタルカメラ１のシステム構成を示すブロック図である。図２において、モータ（Ｍ）２１は、記録モード時に撮影レンズ２を含む光学系２２を駆動して、フォーカスや絞りを自動的に調整し、光学系２２を通した光像を撮像素子であるＣＣＤ２３に結像させる。ＣＣＤ２３は、タイミング発生器（ＴＧ）２４から発生されたタイミング信号に応じた垂直ドライバ２５によって走査駆動され、一定周期ごとに結像した光像を撮像（光電変換）して、１画面分の画像信号を出力する。サンプルホールド回路（Ｓ／Ｈ）２６は、この画像信号に対してＲＧＢの原色成分ごとに適宜ゲイン調整した後に、サンプルホールド処理を行ってＡ／Ｄ変換器２７に出力する。Ａ／Ｄ変換器２７は、サンプルホールド処理された画像信号をアナログからデジタルに変換してカラープロセス回路２８に出力する。カラープロセス回路２８は、画像信号に対して画素補間処理およびγ補正処理を含むカラープロセス処理を行って、輝度信号Ｙおよび色差信号Ｃｒ，Ｃｂからなる画像データを生成し、複合同期信号、メモリ書込イネーブル信号、クロック信号などとともに、ＤＭＡコントローラ２９に出力する。ＤＭＡコントローラ２９は、これらの信号に基づいて、ＤＲＡＭインタフェース（Ｉ／Ｆ）３０を介して、１画面分の画像データをＤＲＡＭ３１にＤＭＡ転送して書き込む。
【００１７】
制御部３２は、ＣＰＵ、ＲＯＭ、ＲＡＭなどで構成され、あらかじめＲＯＭに格納されている制御プログラムをＣＰＵによって実行し、処理するデータをワークエリアとしてのＲＡＭに一時的に記憶しながら、システムバスを介して接続されているＤＭＡコントローラ２９、ＶＲＡＭコントローラ３３、ＪＰＥＧ回路３４、メモリカード３５、内蔵メモリ３６、音声処理部３７、およびストロボ駆動部（図示せず）との間において、スイッチインタフェース（Ｉ／Ｆ）３８を介して入力されたスイッチ操作の信号に応じて、コマンドやデータの送受信を行って、このデジタルカメラ１全体を制御する。したがって、上記したＤＭＡコントローラ２９による画像データのＤＭＡ転送についても、制御部３２とのコマンドの送受信によって、ＤＭＡコントローラ２９がデータバスを一時的に占有することによって行われる。
【００１８】
制御部３２は、ＤＭＡコントローラ２９を介してＤＲＡＭ３１に書き込まれた画像データを読み出して、ＶＲＡＭコントローラ３３を介してＶＲＡＭ３９に書き込む。デジタルビデオエンコーダ４０は、ＶＲＡＭコントローラ３３を介してＶＲＡＭ３９から定期的に画像データを読み出して、その画像データを元に発生したビデオ信号を表示部１７に出力して表示させる。すなわち、記録モードのスルー画面モードにおいては、ＣＣＤ２３によって撮像された動画が表示部１７にスルー画像としてリアルタイムで表示される。
【００１９】
このスルー画面モードにおいて、シャッタスイッチ９が押下されたときは、スイッチインタフェース３８から制御部３２にトリガ信号が入力される。制御部３２は、このトリガ信号に応じて画像保存モードに遷移し、ＣＣＤ２３からＤＲＡＭ３１へのデータ転送の経路を停止し、画像データの保存処理を行う。すなわち、制御部３２は、ＣＣＤ２３によって撮像されて表示部１７に表示されている画像データをＶＲＡＭ３９から読み出して、ＪＰＥＧ回路３４に書き込み、ＪＰＥＧ（Joint Photographic Experts Group）のカラー静止画符号化方式であるＡＤＣＴ（Adaptive Discrete Cosine Transform；適応離散コサイン変換）、エントロピ符号化方式であるハフマン符号化等の処理によってデータ圧縮を行う。その後、制御部３２は、圧縮処理された画像データをＪＰＥＧ回路３４から読み出して、着脱可能なメモリカード３５、又は、内部に固定的に設けられている内蔵メモリ３６に書き込んで保存する。この後は、再びスルー画面モードに戻って、ＣＣＤ２３からＤＲＡＭ３１へのデータ転送の経路を復活して、ＣＣＤ２３によって撮像されたスルー画像を表示部１７にリアルタイムで表示する。
【００２０】
次に、実施形態のデジタルカメラの動作について、図３ないし図７に示す制御部３２のフローチャートおよび図８ないし図１０に示す表示画面に基づいて説明する。
図３において、所定のイニシャライズ（ステップＳＡ１）の後、スルー画面モードであるか否かを判別する（ステップＳＡ２）。スルー画面モードである場合には、表示部１７にスルー画面を表示する（ステップＳＡ３）。スルー画面モードでない場合には、その他の画面表示を行う（ステップＳＡ４）。例えば、画像保存モードの場合には、撮像された静止画像を画面に表示し、再生モードである場合には、メモリカード３５又は内蔵メモリ３６から読み出してＪＰＥＧ回路３４で復号化した画像を画面に表示する。
【００２１】
スルー画面又はその他の画面が表示された状態において、画面モード切替の指示がされたか否かを判別し（ステップＳＡ５）、その他の画面からスルー画面への切替が指示されたときはスルー画面を表示し（ステップＳＡ６）、スルー画面からその他の画面への切り替えが指示されたときはその他の画面を表示する（ステップＳＡ７）。切り替え指示に応じた場合又は切り替え指示がない場合に、スルー画面又はその他の画面が表示された状態において、メニュースイッチ１２がオンされたか否かを判別し（ステップＳＡ８）、このスイッチがオンされたときは、メニュー画面を表示する（ステップＳＡ９）。メニュースイッチ１２がオンされない場合には、他の処理を行って（ステップＳＡ１０）、ステップＳＡ２に移行した後、スルー画面又は他の画面を表示する。
【００２２】
メニュー画面を表示した後は、いずれかの設定アイコン（タブ）に対応するメニューシートにおいて１つのメニュー項目を反転表示で強調して表示する（ステップＳＡ１１）。次に、カーソルキー１３がオンされたか否かを判別する（ステップＳＡ１２）。カーソルキー１３がオンでない場合には、メニュースイッチ１２がオンされたか否かを判別する（ステップＳＡ１３）。メニュースイッチ１２がオンされたときは、メニュー画面を消去してステップＳＡ２に移行する。一方、メニュー画面の表示中にカーソルキー１３がオンされたときは、上下カーソルがオンされたか否かを判別し（ステップＳＡ１４）、上下カーソルがオンされたときは、強調表示されるメニュー項目を変更する（ステップＳＡ１５）。
【００２３】
上下カーソルがオンでない場合には、図４のフローチャートにおいて、左右カーソルがオンされたか否かを判別する（ステップＳＡ１６）。左右カーソルがオンされたときは、強調表示される設定アイコンを変更し（ステップＳＡ１７）、変更した設定アイコンに対応する別のメニューシートの画面を表示する（ステップＳＡ１８）。そして、図３のステップＳＡ１１に移行して１つのメニュー項目を強調表示する。
【００２４】
図４のステップＳＡ１６において左右カーソルキーがオンでない場合には、セットキー１４がオンされたか否かを判別する（ステップＳＡ１９）。セットキー１４がオンされたときは、現在選択されている項目が「左右キー設定」であるか否かを判別する（ステップＳＡ２０）。
図８（Ａ）は、パラメータ情報のメニュー画面の例を示す図である。このメニュー画面においては、撮影設定の設定アイコン（タブ）が強調表示されている。すなわち、撮影設定のメニューシートの画面を示している。さらに、「連写」、「セルフタイマ」、「ＡＦエリア」、「ブレ軽減」、「左右キー設定」、および「クイックシャッタ」のメニュー項目の中で、現在選択されている項目が「左右キー設定」であることを表している。この状態でセットキー１４がオンされたときは、機能設定画面をメニュー画面に重畳してウインドウ表示する（ステップＳＡ２１）。そして、いずれかの機能を強調表示する（ステップＳＡ２２）。
図８（Ｂ）は、ウインドウ表示された機能設定画面を示す図である。この図においては、「切（オフ）」が強調表示されている。この場合には、左右カーソルキーに対して何も機能が割り当てられていない状態を示している。
【００２５】
この状態において、上下カーソルキーがオンされたか否かを判別し（ステップＳＡ２３）、上下カーソルキーがオンされたときは、強調位置を変更する（ステップＳＡ２４）。強調位置を変更した後、又は、上下カーソルキーがオンでない場合には、セットキー１４がオンされたか否かを判別し（ステップＳＡ２５）、セットキー１４がオンされたときは、図８（Ｂ）の画面において強調表示されている機能が「切」（左右キー設定解除）であるか否かを判別する（ステップＳＡ２６）。強調表示されている機能が「切」である場合には、フラグＰＡＲＡＦを０にリセットする（ステップＳＡ２７）。強調表示されている機能が「切」でない場合には、パラメータテーブルparam［  ］に対応する機能のパラメータをＲＡＭに順次ストアして（ステップＳＡ２８）、ＰＡＲＡＦを１にセットする（ステップＳＡ２９）。
ステップＳＡ２５においてセットキー１４がオンでない場合には、メニュースイッチ１２がオンされたか否かを判別し（ステップＳＡ３０）、このスイッチがオンされたときは、図３のステップＳＡ２に移行した後に、スルー画面又は他の画面を表示する。
【００２６】
図９は、「左右キー設定」に「ＩＳＯ感度」のパラメータ設定を割り当てる場合の画面を示す図である。図９（Ａ）の画面に示すように、「ＩＳＯ感度」の機能が強調されている状態で、セットキー１４がオンされたときは、図９（Ｂ）に示すように、設定アイコン（タブ）の強調表示が「撮影設定」から「画質設定」に変更され、ＩＳＯ感度のパラメータ群が表示される。
図１０は、「左右キー設定」に「セルフタイマ」のパラメータ設定を割り当てる場合の画面を示す図である。図１０（Ａ）の画面に示すように、「セルフタイマ」の機能が強調されている状態で、セットキー１４がオンされたときは、図１０（Ｂ）に示すように、セルフタイマのパラメータ群が表示される。
もちろん、「左右キー設定」に割り当てる機能は３種類以上でもよい。
【００２７】
図４のステップＳＡ１９においてセットキーがオンされたときに、図８（Ａ）の画面で強調表示されている項目が「左右キー設定」でない場合には、ステップＳＡ２０から図５のフローチャートに移行して、強調表示されている項目に対応するパラメータ画面を表示する（ステップＳＡ３１）。すなわち、図８（Ａ）における「連写」、「セルフタイマ」、「ＡＦエリア」、「ブレ軽減」、又は「クイックシャッタ」のパラメータ画面を表示する。次に、いずれかのパラメータを強調表示する（ステップＳＡ３２）。例えば、「連写」の場合には、「入」又は「切」のいずれかを強調表示する。そして、上下カーソルキーがオンされたか否かを判別し（ステップＳＡ３３）、上下カーソルキーがオンされたときは、強調表示位置を変更する（ステップＳＡ３４）。次に、セットキー１４がオンされたか否かを判別し（ステップＳＡ３５）、セットキー１４がオンされたときは、強調されているパラメータの値を設定する（ステップＳＡ３６）。
セットキー１４がオンでない場合には、メニュースイッチ１２がオンされたか否かを判別し（ステップＳＡ３７）、このスイッチがオンされたときは、図３のステップＳＡ２に移行した後、スルー画面又は他の画面を表示する。
【００２８】
図６および図７は、図３におけるステップＳＡ３のスルー画面表示処理のフローチャートである。
図６において、撮像画像を表示する（ステップＳＢ１）。次に、左右カーソルキーがオンされたか否かを判別し（ステップＳＢ２）、左右カーソルキーがオンされたときは、フラグＰＡＲＡＦが１（左右カーソルキー設定済み）であるか否かを判別する（ステップＳＢ３）。左右カーソルキーがオンでない場合、又は、ＰＡＲＡＦが０（左右カーソルキー未設定）の場合には、その他の処理を行って（ステップＳＢ４）、図３のフローチャートに戻る。
【００２９】
ステップＳＢ３においてＰＡＲＡＦが１である場合には、変数Ｎを０にセットし（ステップＳＢ５）、右カーソルキー又は左カーソルキーのオン操作に応じてＮの値を変更しながら、以下のループ処理を行う。param［Ｎ］にストアされているパラメータの値を表示し（ステップＳＢ６）、右カーソルキーがオンされたか否かを判別する（ステップＳＢ７）。右カーソルキーがオンされたときはＮの値をインクリメントする（ステップＳＢ８）。このとき、Ｎの値がparam［  ］にストアされているパラメータ数に達したか否かを判別する（ステップＳＢ９）。ストアされているパラメータ数に達しない場合には、ステップＳＢ６においてparam［Ｎ］にストアされているパラメータの値を表示する。一方、ストアされているパラメータ数に達したときは、ステップＳＢ５において再びＮの値を０にセットし、右カーソルキー又は左カーソルキーのオン操作に応じてＮの値を変更しながらループ処理を続行する。
【００３０】
ループ処理において、ステップＳＢ７で右カーソルキーがオンでない場合には、左カーソルキーがオンされたか否かを判別する（ステップＳＢ１０）。左カーソルキーがオンされたときはＮの値をデクリメントする（ステップＳＢ１１）。このとき、Ｎの値が０より小さくなったか否かを判別し（ステップＳＢ１２）、Ｎの値が０以上である場合には、ステップＳＢ６においてparam［Ｎ］にストアされているパラメータの値を表示する。一方、Ｎの値が０より小さくなったときは、param［  ］にストアされているパラメータ数から１を減算した値、すなわち、Ｎの最大値をＮにセットし（ステップＳＢ１３）、ステップＳＢ６においてparam［Ｎ］にストアされているパラメータの値を表示する。
【００３１】
ステップＳＢ７において右カーソルキーがオンでなく、且つ、ステップＳＢ１０において左カーソルキーもオンでない場合には、図７のフローチャートにおいて、セットキー１４がオンされたか否かを判別し（ステップＳＢ１４）、セットキー１４がオンされたときは、param［Ｎ］のパラメータを設定する（ステップＳＢ１５）。そして、図６のステップＳＢ６に移行して、param［Ｎ］にストアされているパラメータの値を表示する。図６のステップＳＢ１４においてセットキー１４がオンでない場合には、メニュースイッチ１２がオンされたか否かを判別し（ステップＳＢ１６）、このスイッチがオンされたときは、図３のフローチャートに戻る。
【００３２】
図１１は、「左右カーソルキー」に対して「ＩＳＯ感度」および「セルフタイマ」の機能が割り当てられた場合に、スルー画面表示処理で右カーソルキー又は左カーソルキーがオンされたときの状態遷移を表している。図１１において、右カーソルキーのオン操作によって、画質設定のパラメータ群である「ＩＳＯオート」、「ＩＳＯ５０」、「ＩＳＯ１００」、「ＩＳＯ２００」と順に変更され、この後さらに右カーソルキーがオンされたときは、撮影設定のセルフタイマのパラメータ群に変更される。同様に、左カーソルキーのオン操作によって、撮影設定のパラメータ群の「セルフタイマ１０秒」から、さらに左カーソルキーがオンされたときは、画質設定のＩＳＯ感度のパラメータ群に変更される。すなわち、左右カーソルキーの操作によって、パラメータ群が属する項目を指定することなく、異なる項目のパラメータ群の設定を行うことができる。
【００３３】
以上のように、この実施形態によれば、制御部３２は、撮影の条件やその他の条件を設定するためのパラメータが条件の種類に応じて複数の項目に分類され、各項目に少なくとも１つのパラメータが属する構成のパラメータ情報において、カーソルキー１３の左右キーに対して複数の項目のパラメータの設定を、その左右キーの操作に応じて割り当て、設定する条件に対応するパラメータを選択する際に、そのパラメータが割り当てた項目に属する場合には、左右キーの操作に応じて項目の指定を要することなくそのパラメータの選択を行い、そのパラメータが割り当てていない項目に属する場合には、左右キー、上下キー、セットキー１４の操作に応じてそのパラメータが属する項目の指定およびそのパラメータの選択を行う。
したがって、画像の撮影の条件や画像の再生の条件およびその他の条件を設定するためのパラメータが条件の種類に応じて複数の項目に分類され、各項目に複数のパラメータが属する構成のパラメータ情報において、撮影する被写体や天候などの撮影環境やユーザの好みに応じて、簡単な操作で所望のパラメータの設定ができる。
【００３４】
この場合において、図１１に示すように、制御部３２は、カーソルキー１３の操作ごとに各項目のパラメータの配列に従って１つのパラメータを順に選択し、配列の最後のパラメータが選択されている状態で、さらにカーソルキーが操作されたときは、他の項目に移行してパラメータを選択する。
すなわち、制御部３２は、パラメータの配列の選択方向を順方向および逆方向に指定して１つのパラメータを順に選択する右カーソルキーおよび左カーソルキーを有し、配列の順方向又は逆方向における最後のパラメータが選択されている状態で、さらに右カーソルキー又は左カーソルキーが操作されたときは、他の項目に移行してパラメータを選択する。
したがって、左右カーソルキーの操作だけで、異なる種類の項目に属するパラメータを迅速に設定できるので、シャッタチャンスを逃してしまうことがない。
【００３５】
左右カーソルキーの操作に応じて、項目を指定することなく当該項目に属するパラメータを選択する制御部３２の機能は、上下カーソルキーの操作によって一時的に割り当てられた項目に対して有効となる。
したがって、左右カーソルキーに割り当てる項目の種類および項目の数、並びに、割り当ての解除は各ユーザによって自由に決定することができる。
【００３６】
なお、上記実施形態においては、デジタルカメラを例に採って本発明の撮像装置を説明したが、本発明の撮像装置はデジタルカメラに限定されるものではない。ビデオカメラやカメラ付き携帯電話装置にも適用できる。さらに、一般的な電子機器において、設定するパラメータが多い場合には、設定する条件の種類に応じて複数の項目にパラメータを分類し、各項目に複数のパラメータが属するようなツリー構造になっている。このようなツリー構造のパラメータ群によりすべてのユーザに対して体系化した操作説明を行うことができる反面、異なる種類の項目のパラメータを設定する場合には、現在の項目から抜けて別の項目を指定しながらパラメータを設定する必要があるので、ユーザに煩雑な操作を強いることになる。したがって、撮像装置以外の電子機器に対しても本発明を適用すれば、簡単な操作で所望のパラメータの設定ができる。
【００３７】
また、上記実施形態においては、あらかじめデジタルカメラ１内の制御部３２のＲＯＭに記憶された制御プログラムを実行する装置の発明について説明したが、外部記憶媒体であるフレキシブルディスク（ＦＤ）、ＣＤに記録されている制御プログラムをメモリカード３５又は内蔵メモリ３６にインストールするか、又は、インターネットなどのネットワークからダウンロードした制御プログラムをメモリカード３５又は内蔵メモリ３６にインストールして、その制御プログラムを制御部３２によって実行することも可能である。この場合には、プログラムの発明やそのプログラムを記録した記録媒体の発明を実現できる。
【００３８】
すなわち、本発明による制御プログラムは、
撮影の条件やその他の条件を設定するためのパラメータが条件の種類に応じて複数の項目に分類され、各項目に少なくとも１つのパラメータが属する構成のパラメータ情報において、操作手段における特定のスイッチに対して複数の項目のパラメータの設定を当該特定のスイッチの操作に応じて割り当てるステップＡと、前記操作手段によって設定する条件に対応するパラメータを選択する際に、当該パラメータが前記ステップＡによって割り当てられた項目に属する場合には、前記特定のスイッチの操作に応じて項目の指定を要することなく当該パラメータの選択を行い、当該パラメータが前記ステップＡによって割り当てられていない項目に属する場合には、前記特定のスイッチおよび又は他のスイッチの操作に応じて当該パラメータが属する項目の指定および当該パラメータの選択を行うステップＢと、をコンピュータに実行させる。
【００３９】
前記ステップＡは、前記特定のスイッチの操作ごとに各項目のパラメータの配列に従って１つのパラメータを順に選択し、配列の最後のパラメータが選択されている状態で、さらに前記特定のスイッチが操作されたときは、他の項目に移行してパラメータを選択することを特徴とする。
前記特定のスイッチは、パラメータの配列の選択方向を順方向および逆方向に指定して１つのパラメータを順に選択する第１の選択スイッチおよび第２の選択スイッチを有し、前記ステップＡは、配列の順方向又は逆方向における最後のパラメータが選択されている状態で、さらに前記第１の選択スイッチ又は前記第２の選択スイッチが操作されたときは、他の項目に移行してパラメータを選択することを特徴とする。
【００４０】
前記特定のスイッチの操作に応じて、項目を指定することなく当該項目に属するパラメータを選択する前記ステップＡの機能は、前記特定のスイッチ又は他のスイッチの操作によって一時的に割り当てられた項目に対して有効となることを特徴とする。
【符号の説明】
【００４１】
１  デジタルカメラ
１３  カーソルキー
１４  セットキー
１７  表示部
２３  ＣＣＤ
３２  制御部
３８  スイッチインタフェース
【図１】
2011217410.tif 000003
【図２】
2011217410.tif 000004
【図３】
2011217410.tif 000005
【図４】
2011217410.tif 000006
【図５】
2011217410.tif 000007
【図６】
2011217410.tif 000008
【図７】
2011217410.tif 000009
【図８】
2011217410.tif 000010
【図９】
2011217410.tif 000011
【図１０】
2011217410.tif 000012
【図１１】
2011217410.tif 000013
【手続補正書】
【提出日】平成23年8月12日(2011.8.12)
【手続補正２】
【補正対象書類名】明細書
【補正対象項目名】０００１
【補正方法】変更
【補正の内容】
【０００１】
本発明は、撮像装置、撮像方法、及びプログラムに関し、特に、画像の撮影の条件や画像の再生の条件およびその他の条件を設定するためのパラメータを設定する撮像装置、撮像方法、及びプログラムに関するものである。
【手続補正３】
【補正対象書類名】明細書
【補正対象項目名】０００６
【補正方法】変更
【補正の内容】
【０００６】
請求項１に記載の撮像装置は、複数の撮影条件の各々に複数の撮影パラメータを規定している撮像装置において、メニュー画面で前記複数の撮影条件から所望の撮影条件を予め選択するための選択手段と、前記選択手段により撮影条件が選択されるたびに当該選択された撮影条件に規定された複数の撮影パラメータを追加して記憶する記憶手段と、前記記憶手段によって撮影パラメータが記憶されている場合は、前記選択後の撮影モードにおいて、スルー画像とともに前記記憶されている撮影パラメータを順次重畳して表示する表示手段と、前記表示手段により重畳表示された撮影パラメータを順次設定するための設定手段と、を備え、前記選択手段は、更に、前記予め選択した撮影条件を全て無効とするための手段を有し、前記表示手段は、前記選択手段によって予め選択した撮影条件を全て無効とされた場合、前記記憶されている撮影パラメータの重畳表示を行わないことを特徴とする。
【手続補正４】
【補正対象書類名】明細書
【補正対象項目名】０００７
【補正方法】変更
【補正の内容】
【０００７】
請求項２に記載の撮像装置は、前記設定手段により撮影パラメータが順次設定されるたびに、当該設定された撮影パラメータに従って撮影されたスルー画像を表示する。
【手続補正５】
【補正対象書類名】明細書
【補正対象項目名】０００８
【補正方法】変更
【補正の内容】
【０００８】
請求３に記載の撮像方法は、複数の撮影条件の各々に複数の撮影パラメータを規定している撮像装置の撮像方法において、メニュー画面で前記複数の撮影条件から所望の撮影条件を予め選択させる選択ステップと、前記撮影条件が選択されるたびに当該選択された撮影条件に規定された複数の撮影パラメータを追加して記憶装置に記憶させる記憶ステップと、前記記憶装置に撮影パラメータが記憶されている場合は、前記選択後の記録モードにおいて、スルー画像とともに前記記憶されている撮影パラメータを順次重畳して表示させる表示ステップと、前記重畳表示された撮影パラメータを順次設定させる設定ステップと、を含み、前記選択ステップは、前記予め選択した撮影条件を全て無効とするためのステップを更に含み、前記表示ステップは、前記選択ステップにおいて予め選択した撮影条件を全て無効とされた場合、前記記憶装置に記憶されている撮影パラメータの重畳表示を行わないことを特徴とする。
【手続補正６】
【補正対象書類名】明細書
【補正対象項目名】０００９
【補正方法】変更
【補正の内容】
【０００９】
請求項４に記載のプログラムは、複数の撮影条件の各々に複数の撮影パラメータを規定している撮像装置を制御するコンピュータに、メニュー画面で前記複数の撮影条件から所望の撮影条件を予め選択させる選択機能、前記撮影条件が選択されるたびに当該選択された撮影条件に規定された複数の撮影パラメータを追加して記憶装置に記憶させる記憶機能、前記記憶装置に撮影パラメータが記憶されている場合は、前記選択後の記録モードにおいて、スルー画像とともに前記記憶されている撮影パラメータを順次重畳して表示させる表示機能、前記重畳表示された撮影パラメータを順次設定させる設定機能、を実現させるためのプログラムであって、前記選択機能は、前記予め選択した撮影条件を全て無効とするための機能を更に含み、前記表示機能は、前記選択機能によって予め選択した撮影条件を全て無効とされた場合、前記記憶装置に記憶されている撮影パラメータの重畳表示を行わないことを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明によれば、簡単な操作で所望のパラメータの設定ができる。
【手続補正１０】
【補正対象書類名】特許請求の範囲
【補正対象項目名】全文
【補正方法】変更
【補正の内容】
【特許請求の範囲】
【請求項１】
複数の撮影条件の各々に複数の撮影パラメータを規定している撮像装置において、
メニュー画面で前記複数の撮影条件から所望の撮影条件を予め選択するための選択手段と、
前記選択手段により撮影条件が選択されるたびに当該選択された撮影条件に規定された複数の撮影パラメータを追加して記憶する記憶手段と、
前記記憶手段によって撮影パラメータが記憶されている場合は、前記選択後の撮影モードにおいて、スルー画像とともに前記記憶されている撮影パラメータを順次重畳して表示する表示手段と、
前記表示手段により重畳表示された撮影パラメータを順次設定するための設定手段と、
を備え、
前記選択手段は、更に、前記予め選択した撮影条件を全て無効とするための手段を有し、
前記表示手段は、前記選択手段によって予め選択した撮影条件を全て無効とされた場合、前記記憶されている撮影パラメータの重畳表示を行わない
ことを特徴とする撮像装置。
【請求項２】
前記表示手段は、前記設定手段により撮影パラメータが順次設定されるたびに、当該設定された撮影パラメータに従って撮影されたスルー画像を表示することを特徴とする請求項１に記載の撮像装置。
【請求項３】
複数の撮影条件の各々に複数の撮影パラメータを規定している撮像装置の撮像方法において、
メニュー画面で前記複数の撮影条件から所望の撮影条件を予め選択させる選択ステップと、
前記撮影条件が選択されるたびに当該選択された撮影条件に規定された複数の撮影パラメータを追加して記憶装置に記憶させる記憶ステップと、
前記記憶装置に撮影パラメータが記憶されている場合は、前記選択後の記録モードにおいて、スルー画像とともに前記記憶されている撮影パラメータを順次重畳して表示させる表示ステップと、
前記重畳表示された撮影パラメータを順次設定させる設定ステップと、
を含み、
前記選択ステップは、前記予め選択した撮影条件を全て無効とするためのステップを更に含み、
前記表示ステップは、前記選択ステップにおいて予め選択した撮影条件を全て無効とされた場合、前記記憶装置に記憶されている撮影パラメータの重畳表示を行わない
ことを特徴とする撮像方法。
【請求項４】
複数の撮影条件の各々に複数の撮影パラメータを規定している撮像装置を制御するコンピュータに、
メニュー画面で前記複数の撮影条件から所望の撮影条件を予め選択させる選択機能、
前記撮影条件が選択されるたびに当該選択された撮影条件に規定された複数の撮影パラメータを追加して記憶装置に記憶させる記憶機能、
前記記憶装置に撮影パラメータが記憶されている場合は、前記選択後の記録モードにおいて、スルー画像とともに前記記憶されている撮影パラメータを順次重畳して表示させる表示機能、
前記重畳表示された撮影パラメータを順次設定させる設定機能、
を実現させるためのプログラムであって、
前記選択機能は、前記予め選択した撮影条件を全て無効とするための機能を更に含み、
前記表示機能は、前記選択機能によって予め選択した撮影条件を全て無効とされた場合、前記記憶装置に記憶されている撮影パラメータの重畳表示を行わない
ことを特徴とするプログラム。